(57)【要約】【課題】原稿の再出力時に特に操作者の操作性を低下させることなく、原稿の種別に応じた動作モードを再度判定せずに原稿を複写できること。【解決手段】原稿を読み取り画像データに変換して出力する読み取りユニット１１１と、前記読み取りユニット１１１から出力された画像データの属性を判定する原稿属性判定部１１４と、前記画像データと、前記原稿属性判定部１１４によって判定された前記画像データの属性データとを関連づけるプリンタコントローラ１１６と、前記プリンタコントローラ１１６により関連づけられた画像データと属性を蓄積するハードディスク１２０と、前記ハードディスク１２０に蓄積された前記画像データを前記属性データに基づき出力する作像ユニット１２４を備える。【選択図】        図１
2006087033.tif 000002
【特許請求の範囲】
【請求項１】
原稿を読み取り画像データに変換して出力する読み取り手段と、
前記読み取り手段から出力された前記画像データの属性を判定する属性判定手段と、
前記画像データと前記属性判定手段によって判定された当該画像データの属性データとを関連づける制御手段と、
前記制御手段により関連づけられた前記画像データと、前記属性データを蓄積する記憶手段と、
前記記憶手段に蓄積された前記画像データを前記属性データに基づき出力する出力手段と、
を備えることを特徴とする画像処理装置。
【請求項２】
前記属性判定手段は、原稿がカラー原稿であるか白黒原稿であるかの判定を行うことを特徴とする請求項１に記載の画像処理装置。
【請求項３】
前記読み取り手段から出力した前記画像データを入力デバイスに依存しない色空間の画像データに変換し、前記制御手段に出力する第１の色変換手段を備えることを特徴とする請求項１に記載の画像処理装置。
【請求項４】
前記記憶手段に蓄積した前記画像データと前記属性データを読み出し、当該画像データを出力デバイスに依存する色空間に変換し、出力デバイスに出力する第２の色変換手段を備えることを特徴とする請求項１に記載の画像処理装置。
【請求項５】
前記第２の色変換手段は、前記記憶手段から読み出した前記属性データに基づいて色変換パラメータを切り替えることを特徴とする請求項４に記載の画像処理装置。
【請求項６】
原稿を読み取り画像データに変換して出力する読み取り工程と、
前記読み取り工程によって読み取られた前記画像データの属性を判定する属性判定工程と、
前記画像データと前記属性判定工程によって判定された当該画像データの属性データとを関連づける制御工程と、
前記制御工程によって前記属性データと関連づけられた前記画像データを当該属性データに基づき出力する出力工程と、
を含むことを特徴とする画像処理方法。
【請求項７】
前記属性判定工程は、原稿がカラー原稿であるか白黒原稿であるかの判定を行うことを特徴とする請求項６に記載の画像処理方法。
【請求項８】
前記読み取り工程によって読み取られた前記画像データを入力デバイスに依存しない色空間の画像データに変換する第１の色変換工程を含むことを特徴とする請求項６に記載の画像処理方法。
【請求項９】
前記制御工程によって関連づけられた前記画像データと前記属性データを読み出し、当該画像データを出力デバイスに依存する色空間に変換する第２の色変換工程を含むことを特徴とする請求項６に記載の画像処理方法。
【請求項１０】
前記第２の色変換工程は、前記制御工程によって前記画像データと関連づけられた前記属性データに基づいて、色変換パラメータを自動的に切り替えることを特徴とする請求項９に記載の画像処理方法。
【請求項１１】
請求項６〜１０のいずれか一つに記載の画像処理方法をコンピュータに実行させることを特徴とする画像処理プログラム。
【発明の詳細な説明】
【技術分野】
【０００１】
この発明は、原稿を画像データとして読み取り、画像データに画像処理を施して複写を行う画像処理装置、画像処理方法および画像処理プログラムに関する。特に、同一原稿を複数回複写する画像処理装置、画像処理方法および画像処理プログラムに関する。
【背景技術】
【０００２】
従来、カラー複写機は、複写処理しようとする原稿に応じて、カラー複写処理を行うか、白黒複写処理を行うかを、操作者が任意に設定することが可能である。また、カラー印刷、カラーハードコピーの原稿としてはカラー原稿、白黒原稿が混在する場合があるが、白黒原稿の場合は、白黒複写処理を施すことで高品質の出力が得られる。さらに、白黒原稿においてはＫ（Ｂｌａｃｋ）版のみで作像を行うため、ＣＭＹＫ（Ｃｙａｎ，Ｍａｇｅｎｔａ，Ｙｅｌｌｏｗ，Ｂｌａｃｋ）版で作像する場合よりも出力時間を短縮することができる。このようなカラー複写機としては、原稿がカラー原稿であるか白黒原稿であるかを判定するカラー／白黒判定を自動的に行い、その判定結果に応じて動作モードを自動的に切り替えるものがある（例えば、特許文献１参照。）。
【０００３】
さらに、読み取った画像データを一時的にメモリに格納することにより、印刷画像に不備があった場合でも、再度原稿を読み直さずに再出力ができる機能を搭載したカラー複写機も知られている（例えば、特許文献２参照。）。
【０００４】
【特許文献１】特開昭６３−１０７２７４号公報
【特許文献２】特開平９−１９１３７９号公報
【発明の開示】
【発明が解決しようとする課題】
【０００５】
しかしながら、原稿の種別に応じてユーザが原稿を１枚ずつ原稿に適した動作モードを設定することは操作上不便であった。前記特許文献１に記載の技術によれば、原稿の種別に応じて動作モードを切り替えることができるが、例えば、プリントアウト時に用紙が詰まる等で出力が正常に終了しなかったときには、再度原稿を読み取る必要が生じ手間がかかった。
【０００６】
また、前記特許文献２に記載の技術のように、画像データをメモリに格納する構成としても、再出力するときにはメモリから画像データを読み出した後に、読み出した原稿の種別に応じた動作モードを再度判定しなければならず、処理効率を改善できなかった。
【０００７】
この発明は、上述した従来技術による問題点を解消するため、再出力時に特に操作者の操作性を低下させることなく、原稿の種別に応じた動作モードを再度判定せずに原稿を複写できる画像処理装置、画像処理方法および画像処理プログラムを提供することを目的とする。
【課題を解決するための手段】
【０００８】
上述した課題を解決し、目的を達成するため、請求項１の発明にかかる画像処理装置は、原稿を読み取り画像データに変換して出力する読み取り手段と、前記読み取り手段から出力された前記画像データの属性を判定する属性判定手段と、前記画像データと前記属性判定手段によって判定された当該画像データの属性データとを関連づける制御手段と、前記制御手段により関連づけられた前記画像データと、前記属性データを蓄積する記憶手段と、前記記憶手段に蓄積された前記画像データを前記属性データに基づき出力する出力手段と、を備えることを特徴とする。
【０００９】
この請求項１に記載の発明によれば、読み取った画像データの属性を画像データと関連づけて記憶手段に蓄積するため、再出力時に、原稿の種別に対応した動作モードを再度判定することなく、同一原稿を複写することができる。
【００１０】
また、請求項２の発明にかかる画像処理装置は、請求項１に記載の発明において、前記属性判定手段は、原稿がカラー原稿であるか白黒原稿であるかの判定を行うことを特徴とする。
【００１１】
この請求項２に記載の発明によれば、原稿がカラー原稿である場合も白黒原稿である場合も、原稿の属性を判定することができ、当該属性に対応した複写をすることができる。
【００１２】
また、請求項３の発明にかかる画像処理装置は、請求項１に記載の発明において、前記読み取り手段から出力した前記画像データを入力デバイスに依存しない色空間の画像データに変換し、前記制御手段に出力する第１の色変換手段を備えることを特徴とする。
【００１３】
この請求項３に記載の発明によれば、画像データを入力デバイスの装置特性に依存しない色空間の画像データに変換することができ、色変換された画像データを記憶手段に蓄積し、複写することができる。
【００１４】
また、請求項４の発明にかかる画像処理装置は、請求項１に記載の発明において、前記記憶手段に蓄積した前記画像データと前記属性データを読み出し、当該画像データを出力デバイスに依存する色空間に変換し、出力デバイスに出力する第２の色変換手段を備えることを特徴とする。
【００１５】
この請求項４に記載の発明によれば、記憶手段から画像データと属性データを読み出した際、画像データをプリンタ固有の色空間に変換し、複写することができる。
【００１６】
また、請求項５の発明にかかる画像処理装置は、請求項４に記載の発明において、前記第２の色変換手段は、前記記憶手段から読み出した前記属性データに基づいて色変換パラメータを切り替えることを特徴とする。
【００１７】
この請求項５に記載の発明によれば、カラー複写処理をするか白黒複写処理をするかの動作モードを自動的に切り替えることができるため、操作者に負担をかけずに、高品質な出力画像を得ることができる。
【００１８】
また、請求項６の発明にかかる画像処理方法は、原稿を読み取り画像データに変換して出力する読み取り工程と、前記読み取り工程によって読み取られた前記画像データの属性を判定する属性判定工程と、前記画像データと前記属性判定工程によって判定された当該画像データの属性データとを関連づける制御工程と、前記制御工程によって前記属性データと関連づけられた前記画像データを当該属性データに基づき出力する出力工程と、を含むことを特徴とする。
【００１９】
この請求項６に記載の発明によれば、制御工程によって読み取った画像データの属性を画像データと関連づけて記憶するため、再出力時に、原稿の種別に対応した動作モードを再度判定することなく、同一原稿を複写することができる。
【００２０】
また、請求項７の発明にかかる画像処理方法は、請求項６に記載の発明において、前記属性判定工程は、原稿がカラー原稿であるか白黒原稿であるかの判定を行うことを特徴とする。
【００２１】
この請求項７に記載の発明によれば、原稿がカラー原稿である場合も白黒原稿である場合も、原稿の属性を判定することができ、当該属性に対応した複写をすることができる。
【００２２】
また、請求項８の発明にかかる画像処理方法は、請求項６に記載の発明において、前記読み取り工程によって読み取られた前記画像データを入力デバイスに依存しない色空間の画像データに変換する第１の色変換工程を含むことを特徴とする。
【００２３】
この請求項８に記載の発明によれば、画像データを入力デバイスの装置特性に依存しない色空間の画像データに変換することができ、色変換された画像データを記憶し、複写することができる。
【００２４】
また、請求項９の発明にかかる画像処理方法は、請求項６に記載の発明において、前記制御工程によって関連づけられた前記画像データと前記属性データを読み出し、当該画像データを出力デバイスに依存する色空間に変換する第２の色変換工程を含むことを特徴とする。
【００２５】
この請求項９に記載の発明によれば、制御工程から画像データと属性データを読み出した際、画像データをプリンタ固有の色空間に変換し、複写することができる。
【００２６】
また、請求項１０の発明にかかる画像処理方法は、請求項９に記載の発明において、前記第２の色変換工程は、前記制御工程によって前記画像データと関連づけられた前記属性データに基づいて、色変換パラメータを自動的に切り替えることを特徴とする。
【００２７】
この請求項１０に記載の発明によれば、カラー複写処理をするか白黒複写処理をするかの動作モードを自動的に切り替えることができるため、操作者に負担をかけずに、高品質な出力画像を得ることができる。
【００２８】
また、請求項１１の発明にかかる画像処理プログラムは、請求項６〜１０のいずれか一つに記載の画像処理方法をコンピュータに実行させることを特徴とする。
【００２９】
この請求項１１に記載の発明によれば、請求項６〜１０のいずれか一つに記載の画像処理方法をコンピュータに実行させることができる。
【発明の効果】
【００３０】
本発明にかかる画像処理装置、画像処理方法および画像処理プログラムによれば、原稿がカラー原稿であるか白黒原稿であるかを自動的に判定し、その判定結果を画像データとともに記憶手段に蓄積することで、操作者に負担をかけずに高品質な出力画像を得ることと、再出力時の処理効率の向上を図ることができるという効果を奏する。
【発明を実施するための最良の形態】
【００３１】
以下に添付図面を参照して、この発明における画像処理装置、画像処理方法および画像処理プログラムの好適な実施の形態を詳細に説明する。
【００３２】
（画像処理装置の機能的構成）
まず、この発明の実施の形態にかかる画像処理装置の内容について説明する。ここでは、ｓＲＧＢの蓄積方式を採用するフルカラー画像処理装置を例示して説明する。
【００３３】
図１は、この発明の実施の形態にかかる画像処理装置１００の機能的構成の一例を示すブロック図である。
【００３４】
画像処理装置１００は、エンジン部１０１とプリンタコントローラ部１０２を有する。
【００３５】
エンジン部１０１は、読み取りユニット（入力デバイス）１１１ならびに作像ユニット（出力デバイス）１２４を中心として、画像処理装置１００の画像入出力を行う。読み取りユニット１１１は、原稿台にセットされた写真や文書などの原稿を走査し、原稿上の画像情報をＲ，Ｇ，Ｂ（Ｒｅｄ，Ｇｒｅｅｎ，Ｂｌｕｅ）各色８ビットの電気信号として読み取り、スキャナ補正部１１２と原稿属性判定部１１４に出力する。
【００３６】
スキャナ補正部１１２は、読み取りユニット１１１から出力されたＲＧＢ形式の画像データに対して色変換処理、フィルタ処理、変倍処理を行い、処理後の画像データを固定長多値圧縮器１１３に出力する。
【００３７】
ここで、スキャナ補正部１１２で画像データに行われる処理の詳細について、図２を参照して説明する。
【００３８】
図２は、スキャナ補正部１１２の構成を示す図である。スキャナ補正部１１２は、色変換部（ＬＵＴ）（第１の色変換部）２０１、フィルタ処理部２０２、変倍処理部２０３で構成される。
【００３９】
色変換部２０１は、読み取りユニット１１１から出力されたＲＧＢ形式の画像データをｓＲＧＢ色空間に変換し、フィルタ処理部２０２に出力する。なお、この色空間の変換には、例えば、多次元のルックアップテーブル（ＬＵＴ：Ｌｏｏｋ  Ｕｐ  Ｔａｂｌｅ）を用いたメモリアップ補間法等を使用する（例えば、特開２００２−１８８５８０４号公報参照。）。ここで、ルックアップテーブルとは、入力の色空間を複数の単位補間立法群に分割し、入力色データが含まれる単位補間立方体を選択、選択した単位補間立方体の複数頂点に対応する出力値をテーブル化したものである。
【００４０】
フィルタ処理部２０２は、各種フィルタで構成され、色変換部２０１から出力された画像データにフィルタ処理を行い、フィルタ処理後の画像データを変倍処理部２０３に出力する。変倍処理部２０３は、フィルタ処理部２０２から出力されたフィルタ処理後の画像データに変倍処理を行い、固定長多値圧縮器１１３に出力する。
【００４１】
図１の説明にもどり、固定長多値圧縮器１１３は、スキャナ補正部１１２から出力された変倍処理後の各色８ビットのｓＲＧＢ画像データを各色ｎビット（ｎ＜＝８）のｓＲＧＢ画像データに変換する。
【００４２】
原稿属性判定部１１４は、読み取りユニット１１１から出力されたＲＧＢ形式の画像データに基づいて、原稿がカラー原稿であるか白黒原稿であるかを判定するカラー／白黒判定を行う。
【００４３】
固定長多値伸張器１２１は、各色ｎビット（ｎ＜＝８）のｓＲＧＢ画像データを各色８ビットのｓＲＧＢ画像データに復号する。また、固定長多値圧縮器１１３、原稿属性判定部１１４および固定長多値伸張器１２１はそれぞれ汎用バス１１５に接続されている。
【００４４】
プリンタ補正部１２２は、固定長多値伸張器１２１により復号された画像データに対して色変換処理、プリンタγ補正、中間調処理を行い、ＧＡＶＤ１２３に出力する。
【００４５】
ここで、プリンタ補正部１２２で画像データに行われる処理の詳細について、図３および図４を参照して説明する。
【００４６】
図３および図４は、プリンタ補正部１２２の構成を示す図である。プリンタ補正部１２２は、色変換部（ＬＵＴ）（第２の色変換部）３０１、プリンタγ補正部３０２、中間調処理部３０３で構成される。
【００４７】
色変換部３０１は、固定長多値伸張器１２１により復号された各色８ビットのｓＲＧＢ画像データを、属性データに応じて各色８ビットのＣＭＹＫ色信号あるいはＫ信号に色変換し、プリンタγ補正部３０２に出力する。すなわち、カラー出力の際には、図３に示すようにＣＭＹＫ色信号に色変換され、白黒出力の際には、図４に示すようにＫ信号に色変換される。そして、プリンタγ補正部３０２において、色変換された色信号に対してプリンタγ補正が行われ、中間調処理部３０３で中間調処理が施され、ＧＡＶＤ１２３に出力される。
【００４８】
図１の説明にもどり、ＧＡＶＤ（ゲート・アレイ・ビデオ・ドライバ）１２３は、プリンタ補正部１２２から出力された画像データをもとに、作像ユニット１２４のＬＤ（レーザーダイオード）を制御するＬＤ制御信号を出力する。作像ユニット１２４は、ＬＤを用いた光走査装置により画像を形成し、転写紙上に出力する。このＬＤは、ＧＡＶＤ１２３から出力されるＬＤ制御信号により制御される。また、エンジンコントローラ１１０は、汎用バス１１５によりスキャナ補正部１１２ならびにプリンタ補正部１２２と接続され、スキャナ補正部１１２ならびにプリンタ補正部１２２を制御している。
【００４９】
つぎに、プリンタコントローラ部１０２の構成について説明する。プリンタコントローラ部１０２はプリンタコントローラ（制御部）１１６を中心として構成される。プリンタコントローラ１１６は、汎用バス１１５、ハードディスク（ＨＤＤ）１２０、ＮＩＣ（Ｎｅｔｗｏｒｋ  Ｉｎｔｅｒｆａｃｅ  Ｃａｒｄ）１２５と接続され、それぞれに画像データと属性データの入出力を行っている。ここで、属性データとは、上述の原稿がカラー原稿であるか白黒原稿であるかを判定した属性判定信号のことである。また、プリンタコントローラ１１６は、Ｒ，Ｇ，Ｂの各色毎に独立した半導体メモリ１１７〜１１９を有している。
【００５０】
プリンタコントローラ１１６は、画像データとその属性データを関連づけてハードディスク１２０に随時蓄積する。ＮＩＣ１２５は、外部ＰＣまたはサーバー１２６等とのデータの送受信を可能としている。
【００５１】
（画像処理装置の動作）
つぎに、この発明の実施の形態にかかる画像処理装置の動作について、図１を参照して説明する。なお、図中に示された矢印は複写時のデータの流れを示している。操作者が読み取りユニット１１１に原稿をセットし、図示しない操作パネルに設けられた印刷ボタンを押下すると、読み取りユニット１１１においてこの原稿の内容が読み取られる。そして、読み取られた内容はＲ，Ｇ，Ｂに色分解された各色８ビットの画像データとしてスキャナ補正部１１２と原稿属性判定部１１４に供給される。
【００５２】
つぎに、図２に示すように、読み取りユニット１１１から供給されたＲＧＢ形式の画像データは、色変換部２０１を介してｓＲＧＢ色空間に変換され、さらにフィルタ処理部２０２および変倍処理部２０３を順次介して固定長多値圧縮器１１３に供給される。
【００５３】
図１にもどり、固定長多値圧縮器１１３においては、変倍処理後の各色８ビットのｓＲＧＢ画像データが各色ｎビット（ｎ＜＝８）のｓＲＧＢ画像データに変換され、汎用バス１１５を介してプリンタコントローラ１１６に供給される。この画像データの圧縮により、ハードディスク１２０に蓄積される画像データ量が小さくなる。
【００５４】
原稿属性判定部１１４においては、読み取りユニット１１１から供給されたＲＧＢ形式の画像データに基づき、原稿がカラー原稿であるか白黒原稿であるかを判定するカラー／白黒判定が行われ、その判定結果は属性データとして汎用バス１１５を介し、プリンタコントローラ１１６に供給される。
【００５５】
ここで、原稿属性判定部１１４の動作の詳細について、図５〜図７を参照して説明する。
【００５６】
図５は、原稿属性判定部１１４の構成を示す図である。原稿属性判定部１１４は、色画素ブロック判定部５０１と彩色画像判定部５０２で構成される。色画素ブロック判定部５０１においては、読み取りユニット１１１から供給されたＲＧＢ形式の画像データに基づき、有彩ブロック判定が行われ、その判定信号が彩色画像判定部５０２に供給される。
【００５７】
ここで、色画素ブロック判定部５０１の動作について、図６を参照して説明する。
【００５８】
図６は、単位ブロックの最大色差のマトリックスを示す図である。色画素ブロック判定部５０１では、ＲＧＢの差の最大値ΔＲＧＢ＝ｄ［ｉ，ｊ］（最大色差）（ｄ［ｉ，ｊ］＝ｍａｘ｛ｒｉｊ，ｇｉｊ，ｂｉｊ｝−ｍｉｎ｛ｒｉｊ，ｇｉｊ，ｂｉｊ｝；ｉ，ｊ＝０，１，２，３）が算出される。つぎに、最大色差ｄ［ｉ，ｊ］が４ライン×４画素の単位ブロックで定められた閾値Ｔｈ１よりも大きい画素数、すなわち、有彩画素数｜Ｃ｜が単位ブロック内の１６画素について数えられる（Ｃ＝｛ｄ［ｉ，ｊ］｜ｄ［ｉ，ｊ］＞Ｔｈ１｝）。この有彩画素数｜Ｃ｜が予め定められた閾値Ｔｈ２よりも大きいときに、この単位ブロックは有彩ブロックと判定され、有彩ブロック信号ＳＧ２＝Ｈが彩色画像判定部５０２に供給される。
【００５９】
つぎに、彩色画像判定部５０２の動作について、図７を参照して説明する。
【００６０】
図７は、彩色画像判定部５０２の構成を示す図である。彩色画像判定部５０２は判定カウンタ７０１と判定比較器７０２で構成される。判定カウンタ７０１は色画素ブロック判定部５０１から供給される有彩ブロック信号ＳＧ２＝Ｈのブロック数をカウントし、判定比較器７０２は判定カウンタ７０１の計数値と比較値を比較し、計数値が比較値を超えたときに、画層彩色信号ＳＧ１＝Ｈが汎用バス１１５を介し、プリンタコントローラ１１６に供給される。すなわち、ＳＧ１＝Ｈとなる原稿はカラー原稿、ＳＧ１＝Ｌとなる原稿は白黒原稿と判定される。
【００６１】
図１にもどり、プリンタコントローラ１１６においては、固定長多値圧縮器１１３から供給された各色ｎビット（ｎ＜＝８）のｓＲＧＢ画像データと、原稿属性判定部１１４から供給された属性データが関連づけられて保持され、各色毎に独立した半導体メモリ（メモリＢ１１７、メモリＧ１１８およびメモリＲ１１９）に蓄積される。このように、画像データと属性データを関連づけることにより、画像データを指定するだけで、属性データも一緒に読み出すことができる。そして、プリンタコントローラ１１６により関連づけられた画像データと属性データは随時ハードディスク１２０に書き込まれる。これは、画像処理装置１００によるプリントアウト時に用紙が詰まり、出力が正常に終了しなかった場合でも、再び原稿を読み直すのを避けるためであり、また、電子ソートを行うためである。
【００６２】
つぎに、画像データを出力する場合は、ハードディスク１２０内の各色ｎビット（ｎ＜＝８）のｓＲＧＢ画像データと属性データは一度半導体メモリ（メモリＢ１１７、メモリＧ１１８およびメモリＲ１１９）に展開され、つぎに汎用バス１１５を通り固定長多値伸張器１２１に供給される。固定長多値伸張器１２１においては、各色ｎビット（ｎ＜＝８）のｓＲＧＢ画像データが再び各色８ビットのｓＲＧＢ画像データに復号され、属性データとともにプリンタ補正部１２２に供給される。
【００６３】
図３および図４に示すように、プリンタ補正部１２２においては、属性データに応じて、各色８ビットのｓＲＧＢの色信号が色変換部３０１を介して各色８ビットのＣＭＹＫ色信号あるいはＫ信号へ色変換される。このときのプリンタ補正部１２２のパラメータは、各色８ビットのｓＲＧＢ画像データとともに供給される属性データに基づき、色変換部３０１における最適なルックアップテーブルのパラメータが自動的に選択される。このようにパラメータを自動的に選択するため、操作者に負担をかけずに高画質な出力を得ることができる。
【００６４】
つぎに、各色８ビットのＣＭＹＫ色信号あるいはＫ信号に対してプリンタγ補正が行われ、ＧＡＶＤ１２３および作像ユニット１２４にあわせた中間調処理が行われる。ここで、プリンタγ補正部３０２においても、属性データに基づいて補正のパラメータを自動的に選択して補正を行ってもよい。
【００６５】
図１にもどり、プリンタ補正部１２２による処理が行われた画像データは、ＧＡＶＤ１２３によりＬＤ制御信号に変換され、作像ユニット１２４により転写紙に出力される。
【００６６】
つぎに、ハードディスク１２０に蓄積されている画像データを複写処理する際の動作について説明する。例えば、１．プリントアウト時に用紙が詰まり、出力が正常に終了しなかったときに原稿の再出力をする場合、２．複数の画像データを並べ替えて電子ソートを行う場合、３．必要になったときにハードディスク１２０に蓄積されているデータを出力する場合等の複写処理である。
【００６７】
操作者が図示しない操作パネルによって、ハードディスク１２０に蓄積されている画像データの複写を要求すると、ハードディスク１２０内の各色ｎビット（ｎ＜＝８）のｓＲＧＢ画像データとその属性データは一度半導体メモリ（メモリＢ１１７、メモリＧ１１８およびメモリＲ１１９）に展開され、つぎに汎用バス１１５を通り固定長多値伸張器１２１に供給される。このように画像データとその属性データをハードディスク１２０から読み出すことができるため、再度カラー／白黒判定を行う必要がなくなる。そして、固定長多値伸張器１２１においては、各色ｎビット（ｎ＜＝８）のｓＲＧＢ画像データが、各色８ビットのｓＲＧＢ画像データに復号され、属性データとともにプリンタ補正部１２２に供給される。
【００６８】
図３および図４に示すように、プリンタ補正部１２２においては、ハードディスク１２０から読み出された属性データに応じて、各色８ビットのｓＲＧＢの色信号が色変換部３０１を介して各色８ビットのＣＭＹＫ色信号あるいはＫ信号へ色変換される。このときのプリンタ補正部１２２のパラメータは、各色８ビットのｓＲＧＢ画像データとともに供給される属性データに基づき、色変換部３０１における最適なルックアップテーブルのパラメータが自動的に選択される。つぎに、各色８ビットのＣＭＹＫ色信号あるいはＫ信号に対してプリンタγ補正が行われ、ＧＡＶＤ１２３および作像ユニット１２４にあわせた中間調処理が行われる。
【００６９】
図１にもどり、プリンタ補正部１２２による処理が行われた画像データは、ＧＡＶＤ１２３によりＬＤ制御信号に変換され、作像ユニット１２４により転写紙に出力される。
【００７０】
本実施の形態では、蓄積時の色空間として、ＰＣでの標準色空間として認知されており、ＰＣやその周辺機器とのカラーマッチングなどの親和性がよいｓＲＧＢを使用したが、もちろん他の色空間を使用してもよい。しかし、何らかの定められた色空間にすることにより、機器間やアプリケーション間においてデータの受け渡しがやり易くなる。
【００７１】
以上説明したように、本発明にかかる画像処理装置、画像処理方法および画像処理プログラムによれば、原稿がカラー原稿であるか白黒原稿であるかを自動的に判定し、その判定結果を画像データとともに記憶手段に蓄積することで、操作者に負担をかけずに高品質な出力画像を得ることと、再出力時の処理効率の向上を図ることができる。
【００７２】
なお、本実施の形態で説明した画像処理方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７３】
以上のように、本発明にかかる画像処理装置、画像処理方法および画像処理プログラムは、同一原稿を複数回複写する画像処理に有用であり、特に、デジタル複写機、ファクシミリ、スキャナやプリンタが接続される機器等に適している。
【図面の簡単な説明】
【００７４】
【図１】この発明の実施の形態にかかる画像処理装置１００の機能的構成の一例を    示すブロック図である。
【図２】スキャナ補正部１１２の構成を示す図である。
【図３】プリンタ補正部１２２の構成を示す図である。
【図４】プリンタ補正部１２２の構成を示す図である。
【図５】原稿属性判定部１１４の構成を示す図である。
【図６】単位ブロックの最大色差のマトリックスを示す図である。
【図７】彩色画像判定部５０２の構成を示す図である。
【符号の説明】
【００７５】
１０１  エンジン部
１０２  プリンタコントローラ部
１１１  読み取りユニット
１１２  スキャナ補正部
１１３  固定長多値圧縮器
１１４  原稿属性判定部
１１５  汎用バス
１１６  プリンタコントローラ
１１７〜１１９  メモリ
１２０  ハードディスク
１２１  固定長多値伸張器
１２２  プリンタ補正部
２０１，３０１  色変換部（ＬＵＴ）
５０１  色画素ブロック判定部
５０２  彩色画像判定部
７０１  判定カウンタ
７０２  判定比較器
【図１】
2006087033.tif 000003
【図２】
2006087033.tif 000004
【図３】
2006087033.tif 000005
【図４】
2006087033.tif 000006
【図５】
2006087033.tif 000007
【図６】
2006087033.tif 000008
【図７】
2006087033.tif 000009